【手続補正書】
【提出日】平成20年12月2日(2008.12.2)
【手続補正１】
【補正対象書類名】特許請求の範囲
【補正対象項目名】全文
【補正方法】変更
【補正の内容】
【特許請求の範囲】
【請求項１】
空気タイヤの製造用の膨張性加硫ブラダー上に、
・周囲温度（約２０℃）及び／又は１５０℃以上の温度において３００％の伸びに耐え、
・ブラダーに対する良好な接着性を有し、且つ
・型成形／離型サイクルの際の潤滑剤との良好な親和性を保証する
ことができる接着用下塗りを形成させるための、水分の蒸発及び架橋によって硬化してエラストマーになることができる水性シリコーンエマルションであって、
次の（i）、（ii）及び（iii）：
（i）次の成分：
・ヒドロキシル及び／又はアルコキシル官能基を含み、２００００〜２×１０6ｍＰａ・ｓの範囲の動的粘度を有する、少なくとも１種の架橋性線状ポリオルガノシロキサンオイルＡ、
・ヒドロキシル化され且つ／若しくはアルコキシル化されたポリオルガノシロキサン樹脂又はヒドロキシル及び／若しくはアルコキシル架橋用官能基を有するケイ素含有粘着促進剤のような、ヒドロキシル及び／又はアルコキシル官能基を含む少なくとも１種の架橋剤Ｄ、
・前記架橋剤Ｄがヒドロキシル及び／若しくはアルコキシル架橋用官能基を有するケイ素含有粘着促進剤ではない場合に随意に存在させる少なくとも１種のケイ素含有粘着促進剤Ｂ
から成り、
成分Ａ、Ｂ及びＤの少なくとも１つが１分子当たり少なくとも３個の架橋用官能基を有するものとする、シリコーン相；
（ii）次の成分：
・前記エマルションの総重量に対して少なくとも５重量％の割合で水相中に分散可能な少なくとも１種の充填剤ＦＩ；
・少なくとも１種の界面活性剤ＳＵ、並びに
・随意としての少なくとも１種の重縮合触媒Ｃ及び／又は少なくとも１種の水溶性粘着促進剤Ｂ'
から成る親水性非シリコーン相；並びに
（iii）水：
から成り且つ随意に追加の添加剤として少なくとも１種の可塑剤Ｇ及び／又は少なくとも１種の殺細菌剤Ｈを含む、前記エマルション。
【請求項２】
前記の水相中に分散可能な充填剤ＦＩがコロイドシリカ、ヒュームドシリカ粉末、沈降シリカ粉末、炭酸カルシウム、雲母及びそれらの混合物より成る群から選択されることを特徴とする、請求項１に記載のエマルション。
【請求項３】
水の量が前記エマルションの総重量に対して０．５〜５５重量％の範囲となるように希釈されることを特徴とする、請求項１又は２に記載のエマルション。
【請求項４】
前記界面活性剤ＳＵを前記エマルションの総重量に対して３重量％まで存在させることを特徴とする、請求項１〜３のいずれかに記載のエマルション。
【請求項５】
前記架橋性ポリオルガノシロキサンＡが１分子当たり少なくとも２個の縮合性又は加水分解性基ＳｉＯＲa（ここで、ＲaはＨ又はアルキルである）を有するポリジオルガノシロキサンオイルであり、
このポリオルガノシロキサンＡが随意に縮合触媒Ｃの存在下で縮合又は加水分解／縮合によって架橋することができるものであり、
前記架橋剤Ｄが、少なくとも１個のヒドロキシル化され且つ／又はアルコキシル化されたシリコーン樹脂及び随意としての少なくとも１種のアルコキシシランＥを含む、
請求項１〜４のいずれかに記載のエマルション。
【請求項６】
前記架橋性ポリオルガノシロキサンＡが次式（Ｉ）：
【化１】
2008536967.tif 000001
（式中、
Ｒfは水素又は随意に直鎖状若しくは分岐鎖状Ｃ1〜Ｃ3アルキルで置換された直鎖状若しくは分岐鎖状Ｃ1〜Ｃ4アルキルに相当し；
Ｒ3、Ｒ4、Ｒ5、Ｒ6、Ｒ7及びＲ8は直鎖状又は分岐鎖状Ｃ1〜Ｃ30アルキル、直鎖状又は分岐鎖状Ｃ2〜Ｃ20アルケニル、随意に１〜３個の直鎖状又は分岐鎖状Ｃ1〜Ｃ3アルキルで置換されたＣ6〜Ｃ12アリール、ベンジル、フェネチル
【化２】
2008536967.tif 000002
又は次式（II）：
【化３】
2008536967.tif 000003
の基のような、アリール部分がＣ6〜Ｃ8炭素原子を有し且つアルキル部分が直鎖状又は分岐鎖状であってＣ1〜Ｃ4炭素原子を有するアラルキル、及びアリール部分がＣ6〜Ｃ8炭素原子を有し且つアルケニル部分が直鎖状又は分岐鎖状であってＣ2〜Ｃ4炭素原子を有するアリールアルケニルより成る群から選択される同一の又は異なる基であり、
ＲNはアミノ化基、又は１個以上のエポキシド及び／若しくはカルボキシル及び／若しくはメタクリロイルオキシ及び／若しくはメルカプト及び／若しくはイソシアネート及び／若しくはイソシアヌレート及び／若しくはシアノ官能基を含むアルキル基と定義される互いに同一の又は異なる基に相当し；
ＲeはＲ3、Ｒ4、Ｒ5及びＲ6について上に与えたものと同じ定義に相当する基並びに／又はＲNについて上に与えたものと同じ定義に相当する基と定義される互いに同一の又は異なる基を表わし；
ａは１、２又は３であり、そして
ｍ、ｎ、ｏ及びｐは０以上であって、ｍ＋ｎ＋ｏ＋ｐは５００以上である）
を有する、請求項１〜５のいずれかに記載のエマルション。
【請求項７】
前記架橋性ポリオルガノシロキサンＡが請求項６に記載の式（Ｉ）において
Ｒfが水素に相当し、
ａ＝１であり、
Ｒe及びＲ3〜Ｒ8が直鎖状又は分岐鎖状のＣ1〜Ｃ15アルキル、フェニル、トリル、ベンジル基、フェネチル、スチリル及び次式：
【化４】
2008536967.tif 000004
の基より成る群から選択される互いに同一の又は異なる基である
ホモポリマー又はコポリマーによって構成されるシリコーンオイルである、請求項６に記載のエマルション。
【請求項８】
前記エマルションが重量部で表わして次の組成：
・少なくとも１種のα，ω−ジヒドロキシル化ポリジオルガノシロキサンシリコーンオイルＡ：１００部、
・アミノアルキルトリアルコキシシランの加水分解生成物、又はＤ、Ｔ及び／若しくはＱシロキシル単位及び随意としてのＭシロキシル単位を含み且つＤ、Ｔ及びＭ単位の少なくとも一部が１個以上のアミン官能基を有するアミノ化シリコーンオリゴマー若しくは樹脂より成る群から選択される少なくとも１種の粘着促進剤Ｂ及び／又はＢ'：０〜１０部、
・ヒドロキシル化シリコーン樹脂から選択される少なくとも１種の架橋剤Ｄ：１〜２０部、並びに／或は
・次式：
【化５】
2008536967.tif 000005
（ここで、ＲaはＨ又はアルキルであり、
Ｒbは随意に置換されたＣ1〜Ｃ6（シクロ）アルキル又はアルケニルであり、
ｔ＝１、２又は３である）
の少なくとも１種のアルコキシシランＥ：０〜５部；
・少なくとも１種の重縮合触媒Ｃ：０〜２部；
・少なくとも１種の界面活性剤ＳＵ：０．５〜１０部、
・少なくとも１種のケイ質充填剤ＦＩ：２〜４０部、
・水：０．５〜５０部、並びに
・有機ケイ酸塩又はケイ酸ナトリウムのような少なくとも１種のケイ質添加剤ＳＡ：０〜２０部：
によって特徴付けられる、請求項１〜７のいずれかに記載のエマルション。
【請求項９】
前記エマルションが部分的に架橋した形で存在するシリコーン分散相の液滴を含むことを特徴とする、請求項１〜８のいずれかに記載のエマルション。
【請求項１０】
空気タイヤ又は半空気タイヤの造形及び加硫のための、請求項１〜９のいずれかに記載の水分の蒸発及び架橋によって硬化してエラストマーになることができる水性シリコーンエマルションで外側面を被覆された膨張性ゴムブラダー。
【請求項１１】
請求項１０に記載のブラダーを２０〜１８０℃の温度において乾燥させ且つ／又は加熱することによって得ることができる、接着用下塗りで被覆された膨張性ゴムブラダー。
【請求項１２】
潤滑用組成物を塗布された、請求項１１に記載の接着用下塗りで被覆された膨張性ゴムブラダー。
【請求項１３】
空気タイヤの製造のための、内側面を潤滑用組成物で処理された未加硫空気タイヤとの組合せとしての、請求項１１に記載の接着用下塗りで被覆された膨張性ゴムブラダーの使用。
【手続補正２】
【補正対象書類名】明細書
【補正対象項目名】００５５
【補正方法】変更
【補正の内容】
【００５５】
粘着促進剤Ｂ又はＢ'の随意としての有機置換基であってＯＨ基及び官能基Ｆｒを含む有機基以外のものには、１〜６個の炭素原子を有する直鎖状若しくは分枝鎖状アルキル基、３〜８個の炭素原子を有するシクロアルキル基、２〜８個の炭素原子を有する直鎖状若しくは分枝鎖状アルケニル基、６〜１０個の炭素原子を有するアリール基、６〜１５個の炭素原子を有するアルキルアリーレン基、又は６〜１５個の炭素原子を有するアリールアルキレン基がある。